(57)【要約】【課題】  撮影者に並んで他の人物も同じ方向から一緒に自撮りで撮影される場合でも、撮影のタイミングで各自の目線をカメラに合わせて撮影できるようにすることを目的とする。【解決手段】  所定の指示を受け付けると、レンズユニットを介してリアルタイムに取得されるライブビュー画像を、徐々に小さなサイズに縮小するとともに、ライブビュー画像の画面上での表示位置を徐々にレンズユニットに近づけて表示する。その後、撮影を行う。【選択図】  図４
2018093303.tif 000002
【特許請求の範囲】
【請求項１】
撮像装置であって、
撮像手段と、
前記撮像装置の筐体の前記撮像手段の撮像方向に設けられた表示手段と、
前記撮像手段での撮像処理により生成された画像をリアルタイムに前記表示手段の画面に表示するよう制御するライブビュー表示手段と、
前記撮像手段での撮像処理により生成された画像を縮小処理して縮小画像を生成する生成手段と、
前記縮小画像の前記画面での表示位置を決定する決定手段と、
所定の指示を受け付けた後、所定時間が経過すると、前記撮像手段での撮像処理により生成された画像を記録媒体に記録するよう制御する記録制御手段を備え、
前記生成手段は前記所定時間内で所定間隔毎に小さくなるように前記画像を縮小処理して縮小画像を生成し、前記決定手段は前記所定時間内で所定間隔毎に前記撮像手段に近づくように表示位置を決定することを特徴とする撮像装置。
【請求項２】
撮像手段と前記撮像装置の筐体の前記撮像手段の撮像方向に設けられた表示手段とを備えた撮像装置の制御方法であって、
前記撮像手段での撮像処理により生成された画像をリアルタイムに前記表示手段の画面に表示するよう制御するステップと、
前記撮像手段での撮像処理により生成された画像を縮小処理して縮小画像を生成するステップと、
前記縮小画像の前記画面での表示位置を決定する決定ステップと、
所定の指示を受け付けた後、所定時間が経過すると、前記撮像手段での撮像処理により生成された画像を記録媒体に記録するよう制御するステップを備え、
前記生成するステップでは前記所定時間内で所定間隔毎に小さくなるように前記画像を縮小処理して縮小画像を生成し、前記決定するステップでは前記所定時間内で所定間隔毎に前記撮像手段に近づくように表示位置を決定することを特徴とする制御方法。
【請求項３】
コンピュータを請求項１に記載の撮像装置の各手段として機能させるプログラム。
【発明の詳細な説明】
【技術分野】
【０００１】
本発明は、撮影者自身を撮影する撮像装置およびその制御方法およびプログラムに関する。
【背景技術】
【０００２】
従来、カメラを備えた情報処理装置を用いて撮影者自身を撮影すること（自分撮り）が行われている。その際、撮影者は、被写体である自分自身の写り具合を見るために、カメラではなく、ライブビュー画像が表示されたディスプレイに視線を向ける。よって、カメラに視線が合わず、被写体である撮影者の目線ずれが発生するという問題があった。そこで、特許文献１では、縮小された入力画像をカメラに近い位置に表示することが提案されている。（特許文献１参照）。
【先行技術文献】
【特許文献】
【０００３】
【特許文献１】特開２０１４−１２７８３０号公報
【発明の概要】
【発明が解決しようとする課題】
【０００４】
撮影者に並んで他の人物も同じ方向から一緒に撮影される場合には、撮影のタイミングで各自の目線をカメラに合わせる必要がある。しかしながら、先行技術では、各自がディスプレイに表示された縮小されている入力画像を確認しながら、全員の目線を揃えて撮影を行うことは難しかった。
【課題を解決するための手段】
【０００５】
本願に係る発明の１つは、撮像装置であって、撮像手段と、前記撮像装置の筐体の前記撮像手段の撮像方向に設けられた表示手段と、前記撮像手段での撮像処理により生成された画像をリアルタイムに前記表示手段の画面に表示するよう制御するライブビュー表示手段と、前記撮像手段での撮像処理により生成された画像を縮小処理して縮小画像を生成する生成手段と、前記縮小画像の前記画面での表示位置を決定する決定手段と、所定の指示を受け付けた後、所定時間が経過すると、前記撮像手段での撮像処理により生成された画像を記録媒体に記録するよう制御する記録制御手段を備え、前記生成手段は前記所定時間内で所定間隔毎に小さくなるように前記画像を縮小処理して縮小画像を生成し、前記決定手段は前記所定時間内で所定間隔毎に前記撮像手段に近づくように表示位置を決定することを特徴とする。
【発明の効果】
【０００６】
本発明によれば、撮影者に並んで他の人物も同じ方向から一緒に自撮りで撮影される場合でも、撮影のタイミングで各自の目線をカメラに合わせて撮影することができるという効果が得られる。
【図面の簡単な説明】
【０００７】
【図１】本実施形態の撮像装置の構成の一例を示すブロック図である。
【図２】本実施形態の撮像装置の表示部に表示される画面の一例を示す図である。
【図３】本実施形態の撮像装置の動作の一例を示すフローチャート図である。
【図４】本実施形態のライブビュー画面の一例を示す図である。
【発明を実施するための形態】
【０００８】
以下に、図面を参照して、この発明の好適な実施の形態を例示的に詳しく説明する。ただし、この実施形態に記載されている構成要素はあくまで例示であり、この発明の範囲をそれらのみに限定する趣旨のものではない。
【０００９】
（第１の実施形態）
図１は撮像装置の構成の一例を示すブロック図である。なお、撮像装置１００は、デジタルカメラや、撮像処理に必要な構成を備えたスマートフォン等の情報処理装置により実現される。撮像装置１００は、内部バス１２０に対して、レンズユニット１０１、撮像素子１０２、ＡＦＥ１０３、画像信号処理部１０４、表示部１０７、操作部１０８、不揮発性メモリ１０９、メモリ１１０、外部記録メモリ１１１、システム制御部１１２が接続されている。内部バス１２０に接続される前記各ブロックは、内部バス１２０を介して互いにデータのやり取りを行うことが可能である。
【００１０】
レンズユニット１０１は、ＡＦ時のレンズ駆動や、レンズの焦点距離などの情報の取得を行う。撮像素子１０２は、光学像を電気信号に変換するＣＣＤやＣＭＯＳ素子等で構成される撮像素子である。ＡＦＥ１０３は、撮像素子１０２から出力されるアナログ信号をデジタル信号に変換するために用いられる。画像信号処理部１０４は、ＡＦＥ１０３からのデジタル信号、または、システム制御部１１２からのデータに対し所定の画素補間、縮小といったリサイズ処理や色変換処理を行う。また、画像信号処理部１０４は、後述の通りに決定される表示サイズに基づき、画像のリサイズ処理を行う。そして、リサイズ処理された画像は、後述の通り決定される表示位置にしたがって表示部１０７に表示される。
【００１１】
表示部１０７は、システム制御部１１２の制御に基づいて、画像やＧＵＩを構成するＧＵＩ画面などを表示する。本実施形態の表示部１０７は撮像装置１００の筐体において、レンズユニット１０１の撮像方向に設けられる。
【００１２】
操作部１０８は、ユーザ操作を受け付けるための入力デバイスである。操作部１０８は、撮影指示操作にも用いられる。撮影指示操作にはＳＷ１とＳＷ２機能を備えるとする。例えば、ＳＷ１は撮影準備指示であり、ＡＦ処理、ＡＥ処理、ＡＷＢ処理などの動作を開始する。また、ＳＷ２は撮影指示であり、システム制御部１１２は、レンズユニット１０１、撮像素子１０２、ＡＦＥ１０３、画像信号処理部１０４を制御し、撮影処理を行う。
【００１３】
表示部１０７と操作部１０８は、２つを組み合わせて画面表示とユーザ操作の受付を同時に行うようにしてもよい。例えば、タッチパネルのような仕組みである。タッチパネルは、操作部１０８を表示部１０８に重ね合わせて平面的に構成され、接触された位置に応じた座標情報が出力されるようにした入力デバイスである。
【００１４】
不揮発性メモリ１０９は、例えばハードディスク（ＨＤＤ）やＲＯＭなどで構成される。不揮発性メモリ１０９には、画像データや音声データ、その他のデータ、システム制御部１１２が動作するための各種プログラムなどが格納される。
【００１５】
メモリ１１０は、例えばＲＡＭ（半導体素子を利用した揮発性のメモリなど）で構成される。
【００１６】
外部記録メモリ１１１は、メモリカードなどの記録媒体である。
【００１７】
システム制御部１１２は、例えば不揮発性メモリ１０９に格納されるプログラムに従い、メモリ１１０をワークメモリとして用いて、内部バス１２０を介して撮像装置１００の各部を制御する。
【００１８】
撮像装置１００のシステム制御部１１２は、レンズユニット１０１を介して取得される画像を後述の通りに決定される表示サイズと表示位置で表示部１０７に表示するよう制御する。撮像装置１００は、レンズユニット１０１と表示部１０７を同方向に配置することで、撮影者自身を撮影するという自分撮りを可能にしている。撮影者兼被写体は、操作部１０８を使用し、各種撮影設定や撮影開始指示を行う。撮影者が撮像装置１００を操作して撮影者自身を撮影した際に表示部１０７に表示される画面の一例を図２に示す。図２では撮影者２０１お一緒に人物２０２が撮像装置１００により撮影され、撮影により得られる画像をリアルタイムに表示部１０７に表示（ライブビュー表示）されている様子を示す。
【００１９】
次に、本実施形態での撮像装置１００の動作について図３のフローチャートと図４の表示部１０７に表示されるライブビュー画面の遷移の一例を示す図を用いて説明する。ここで、図４は、本実施形態では所定時間内において、所定間隔毎にレンズユニット１０１の配置箇所に近づく位置にライブビュー画像の縮小画像を表示する。また、所定時間内において、所定間隔毎に小さくなるサイズで縮小画像を生成し、新たに生成される縮小画像に切替えて表示を行う様子を示す。本実施例形態では、表示切替回数ＮをＮ＝４とした場合について説明するが、回数はこれに限らない。例えば、表示部１０７のサイズに応じて回数を設定するようにしてもよい。
【００２０】
表示部１０７に表示されるライブビュー画面の変化の様子を４０１、４０２、４０５、４０８、４１１、４１４に示す。ライブビュー画像の縮小画像の表示位置４０３、４０６、４０９、４１２は、表示切替区間（ｉ＝１，２，３，４）毎に決定される表示部１０７に対する表示位置である。縮小画像４０４、４０７、４１０、４１３は、画像信号処理部１０４によりライブビュー画像を縮小処理して生成された表示切替区間（ｉ＝１，２，３，４）毎の縮小画像である。
【００２１】
ステップＳ３０１において、システム制御部１１２は、撮影指示を受け付けてから撮影を開始するまでの撮影間隔Ｔ１を不揮発性メモリ１０９から取得し、メモリ１１０へ格納する。
【００２２】
ステップＳ３０２において、システム制御部１１２は、取得した撮影間隔Ｔ１から表示切替間隔Ｔ２を算出し、メモリ１１０へ格納する。例えば、表示切替間隔Ｔ２は撮影間隔Ｔ１を表示切替回数Ｎで分割したＴ１／Ｎとして算出する。なお、撮影間隔Ｔ１や表示切替間隔Ｔ２や表示切替回数Ｎは、操作部１０８を介したユーザからの指定により決定してもよい。
【００２３】
ステップＳ３０３において、システム制御部１１２の制御により、画像サイズ決定部１０５は、表示切替区間ｉの画像の縮小率を決定し、メモリ１１０へ格納する。本実施例では、図４のように時間が経過するにつれて、画像縮小率を大きくするように設定する。予め不揮発性メモリ１０９に格納された画像縮小率情報から、表示切替区間ｉに対応した画像縮小率を抽出し、画像縮小率情報としてメモリ１１０へ格納してもよい。
【００２４】
ステップＳ３０４において、システム制御部１１２の制御により、表示位置決定部１０６は、表示切替区間ｉの画像の表示位置を決定し、メモリ１１０へ格納する。本実施例では、図４のように時間が経過するにつれて、レンズユニット１０１の配置箇所に寄せるように画像の表示位置（ｘｉ、０）を決定する。ステップＳ３０３の画像縮小率情報と同様に、予め不揮発性メモリ１０９に格納された表示位置情報から、表示切替区間ｉに対応した表示位置を抽出し、表示位置情報としてメモリ１１０へ格納してもよい。
【００２５】
ステップＳ３０５において、システム制御部１１２は、全ての表示切替区間に対して縮小率と表示位置を決定したか否かを判定する。全ての表示切替区間に対して縮小率と表示位置が決まっていないと判定された場合、ステップＳ３０６で、表示切替区間ｉをインクリメントし、ステップＳ３０３に進む。ステップＳ３０３、Ｓ３０４を繰り返し、全ての表示切替区間に対して縮小率と表示位置を決まったと判定した場合、ステップＳ３０７へ進む。
【００２６】
ステップＳ３０７において、システム制御部１１２は、画像信号処理部１０４で生成した画像をメモリ１１０から取得し、表示部１０７に表示させる。ステップＳ３０７において、メモリ１１０から取得した画像は表示４０１のように表示部１０７の全面に表示される。表示４０１のような全面表示は、撮影者や被写体が構図などを確認するためのプレビュー表示として用いられる。
【００２７】
ステップＳ３０８において、システム制御部１１２は、操作部１０８に対する撮影指示を受けたか否かを判定する。撮影指示を受けたと判定した場合はステップＳ３０９へ進み、撮影指示を受けていない場合はステップＳ３０７へ進み、再度プレビュー表示を行う。
【００２８】
本実施例での撮影指示はＳＷ２をトリガとして発生する。なお、自分撮りの場合、システム制御部１１２は、すぐに撮影処理に遷移せず、次ステップ以降の条件を満たしてから撮影処理に遷移する。
【００２９】
ステップＳ３０９において、システム制御部１１２は、表示切替区間ｉを初期化する。
【００３０】
ステップＳ３１０において、システム制御部１１２は、表示切替区間ｉに対応した画像縮小率情報ｉと表示位置情報ｉをメモリ１１０から取得する。
【００３１】
ステップＳ３１１において、システム制御部１１２の制御により、画像信号処理部１０４は、画像縮小率情報ｉに応じて、縮小画像ｉを生成し、メモリ１１０へ格納する。ｉ＝１の場合、表示４０２のサイズよりも小さなサイズの画像４０４を生成する。
【００３２】
ステップＳ３１２において、システム制御部１１２は、ステップＳ３１０において取得した表示位置情報ｉに、ステップＳ３１１において取得した縮小画像ｉを配置し、表示部１０７に表示する。ｉ＝１の場合、表示４０２のように、表示部１０７に対して表示位置４０３の表示位置（ｘ１、０）に縮小画像４０４を配置して表示する。
【００３３】
ステップＳ３１３において、システム制御部１１２は、表示切替間隔Ｔ２が経過したか否かを判定する。表示切替間隔Ｔ２が経過していないと判定した場合、ステップＳ３１２へ進み、表示切替区間ｉの表示位置ｉに縮小画像ｉを配置した表示を引き続き行う。また、表示切替間隔Ｔ２が経過したと判定した場合、ステップＳ３１４へ進む。
【００３４】
ステップＳ３１４において、システム制御部１１２は表示切替区間ｉをインクリメントする。
【００３５】
ステップＳ３１５において、システム制御部１１２は、撮影間隔Ｔ１が経過したか否かを判定する。撮影間隔Ｔ１が経過していないと判定した場合、ステップＳ３１０に進む。撮影間隔Ｔ１が経過するまでステップＳ３１０からＳ３１４の処理を行うことで、表示切替区間ｉ＝２、３、４に対応する表示位置ｉと縮小画像ｉを決定し、表示４０５、４０８、４１１のように表示切り替える。
【００３６】
ステップＳ３１５において、システム制御部１１２は、撮影間隔Ｔ１が経過したと判定した場合、ステップＳ３１６に進み、レンズユニット１０１、撮像素子１０２、ＡＦＥ１０３、画像信号処理部１０４を制御し、撮影処理を行う。画像信号処理部１０４で生成した画像を外部記録メモリ１１１へ格納するよう記録制御し、処理を終了する。
【００３７】
以上のように、本実施形態によれば、撮影者に並んで他の人物も同じ方向から一緒に自撮りで撮影される場合でも、撮影のタイミングで各自の目線をカメラに合わせて撮影することができるという効果が得られる。
【００３８】
（他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2018093303.tif 000003
【図２】
2018093303.tif 000004
【図３】
2018093303.tif 000005
【図４】
2018093303.tif 000006